【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
オンラインペルソナを検証しマイクロターゲット化された広告を生成するコンピュータ化された方法であって、
インターフェースを介して個人の属性データ及び好みを収集するステップと、
収集された属性データを検証するステップと、
個人のブラウズの経験をカスタマイズし、前記個人のオンラインアクティビティに関するデータをキャプチャするステップと、
前記検証されたデータ及びキャプチャされたユーザのオンラインアクティビティデータに基づいて操作することにより、個人に関連するデバイス上に前記広告を表示するステップと
を含む、方法。
【請求項２】
個人属性データが名前、年齢及び住所のうちの一つ以上を含む、請求項１に記載の方法。
【請求項３】
属性データが更に、性別、配偶者の有無及び収入のうちの少なくともひとつを含む、請求項２に記載の方法。
【請求項４】
属性データが更に、性別、配偶者の有無、収入、前科、信用データ、教育レベル、及び完全な職歴のうちの少なくともひとつを含む、請求項１に記載の方法。
【請求項５】
個人から収集されたデータは、（ｉ）個人により提供されるドキュメント、（ｉｉ）公的記録との通信インターフェース、及び（ｉｉｉ）サードパーティデータソースとの通信インターフェースのうちの少なくとも一つを介して検証される、請求項１乃至４のうちのいずれか一に記載の方法。
【請求項６】
個人のブラウズの経験がカスタマイズされ、オンラインアクティビティデータがインタネットブラウザと統合されたモジュールによりキャプチャされる、請求項１又は５に記載の方法。
【請求項７】
キャプチャされたオンラインデータは、好み、オンラインショッピング歴、一つ以上のＵＲＬで費やした時間、ブラウジングに費やす総計時間、定義されたＵＲＬのセットで費やす総計時間、リンクへのクリックスルー、及び他のオンラインでの振る舞いのうちの少なくとも一つを含む、請求項１又は５に記載の方法。
【請求項８】
属性データは、ユーザのための第１の属性テーブルに記録される、請求項１又は５に記載の方法。
【請求項９】
キャプチャされたオンラインアクティビティデータは、ユーザのためのセグメント化された複数の属性テーブル内に記録される、請求項１又は５に記載の方法。
【請求項１０】
セグメント化された属性テーブルの各々は、ターゲット化された広告プロセスにより、セグメント化された属性テーブルの処理を促進するように構成されている、請求項９に記載の方法。
【請求項１１】
マイクロセグメント化された広告は、広告生成プロセスにより生成される、請求項１又は５に記載の方法。
【請求項１２】
更に、個人のオフラインの振る舞いをキャプチャするステップと、
検証された属性データ、並びに、キャプチャされた、オンライン及びオフラインの両方の振る舞いデータに基づいて、マイクロターゲット化された、個人に関連するデバイスに対する広告を生成するステップとを含む、請求項１に記載の方法。
【請求項１３】
前記個人のオフライン振る舞いは、クレジットカードを用いる購買、地理位置情報データ、一時的地理位置情報データ、オファー若しくはクーポンの利用、リベートの要求、及び、促進資料に対する応答のうちの少なくともひとつを含む、請求項１２に記載の方法。
【請求項１４】
前記地理位置情報データは、携帯電話、スマートフォン、ＧＰＳレシーバ若しくは他のモバイルデバイスにより提供される、請求項１３に記載の方法。
【請求項１５】
前記地理位置情報データは、ＧＰＳ信号から取得した座標、及び、携帯電話信号の三角測量から取得した座標のうちの一つを含む、請求項１３に記載の方法。
【請求項１６】
マイクロターゲット化された広告は、ジオターゲットされたものである、請求項１２乃至１５のうちのいずれか一に記載の方法。
【請求項１７】
マイクロターゲット化された広告は、個人に関連する次のデバイス、即ち、コンピュータ、モバイルデバイス、タブレットコンピュータ、スマートフォン及び携帯電話のうちの一つ以上に配布される、請求項１２乃至１５のうちのいずれか一に記載の方法。
【請求項１８】
マイクロターゲット化された広告は、コンピュータ、モバイルデバイス、スマートフォン、タブレット、及び携帯電話のうちの一つ以上に常駐するプレゼンテーションエージェントを介して個人に配布される、請求項１７に記載の方法。
【請求項１９】
マイクロターゲット化された広告は、サードパーティシステム若しくはパートナにより生成される、請求項１に記載の方法。
【請求項２０】
マイクロターゲット化された広告は、個人がオンラインで若しくはオフラインで利用できるオファーを含む、請求項１２乃至１５のうちのいずれか一に記載の方法。
【請求項２１】
更に、前記オファーの個人の回収を追跡するステップと、
オファーに関する、キャンペーン分析若しくは他の広告計測データを提供するステップとを含む、請求項２０に記載の方法。
【請求項２２】
更に、前記分析若しくは他の計測データに応答して、広告若しくはオファーを改良すること若しくは変更することの一つのステップ、及び、広告若しくはオファーを改良すること若しくは変更することを繰り返すステップを含む、請求項２１に記載の方法。
【請求項２３】
前記分析が、応答率、平均応答時間、全てのユーザの応答に関する統計、及び応答時の地理位置情報のうちの少なくともひとつを含む、請求項２１に記載の方法。
【請求項２４】
個人が、自らに関して収集される情報にアクセスでき、自らの好み及び興味を編集して自らのプロファイルを変更できる、請求項１に記載の方法。
【請求項２５】
個人が、ユーザのオンラインデータのキャプチャを停止して、プライベートモードにてオンラインで相互作用できる、請求項１に記載の方法。
【請求項２６】
オンラインペルソナ検証、及び、マイクロターゲット化された広告の生成のためのコンピュータ化されたシステムであって、
カスタマフェーシングコンポーネント、及び、システムバックエンドコンポーネントを含み、
前記カスタマフェーシングコンポーネントは、
ユーザがアクセス可能なウエブサイトと、
少なくとも一つの物理的位置と、及び、
オンライン広告及びダイレクトマーケティングプレゼンテーションモジュールとを含み、
前記システムバックエンドコンポーネントは、
検証エンジンと、
システムデータベースと、
ダイレクトマーケティングエンジンと、及び、
パートナインターフェースとを含み、
前記パートナインターフェースは、
システム検証エンジン、並びに、少なくとも一つのデータ及び検証システム、
システムデータベース、並びに、少なくとも一つの広告及びマーケティングシステム、
並びに、
前記少なくとも一つの広告及びマーケティングシステム、並びに、前記オンライン広告及びダイレクトマーケティングプレゼンテーションモジュール
の間でデータを通信するように構成されている、システム。
【請求項２７】
前記カスタマフェーシングコンポーネントが更に、前記オンライン広告及びダイレクトマーケティングプレゼンテーションモジュールに通信可能で接続する、少なくとも一つの重要なサイト推薦者を含む、請求項２６に記載のシステム。
【請求項２８】
システムウエブサイトは、ユーザアイデンティティ及びペルソナ属性を検証エンジンに転送し、検証エンジンは、パートナインターフェースを介して前記少なくとも一つのデータ及び検証システムと通信する、請求項２６に記載のシステム。
【請求項２９】
システムデータベースは、ユーザペルソナ属性を前記少なくとも一つの広告及びマーケティングシステムに転送し、前記少なくとも一つの広告及びマーケティングシステムは、ユーザのためのマイクロセグメント化されたオンライン広告及びダイレクトマーケティングのうちの少なくとも一つを自動生成する、請求項２６に記載のシステム。
【請求項３０】
システムデータベース内で、ユーザペルソナ属性が、第１の属性テーブル、及び、複数のマイクロセグメント化された属性テーブル内に記録される、請求項２６に記載のシステム。
【請求項３１】
前記マイクロセグメント化された属性テーブルの各々が、近傍のメモリ内に常駐し、広告生成モジュールにより高速データ処理を促進するように構成されている、請求項３０に記載のシステム。
【請求項３２】
更に、システムプレゼンテーションエージェントインターフェースを含み、該システムプレゼンテーションエージェントインターフェースは、ユーザデバイス上でシステムプレゼンテーションエージェントレジデントと通信する、請求項２６に記載のシステム。
【請求項３３】
システムプレゼンテーションエージェントインターフェースが、ユーザのオンラインアクティビティに関するデータを収集する、請求項３２に記載のシステム。
【請求項３４】
ユーザのオンラインアクティビティに関する前記データは、好み、オンラインショッピング歴、一つ以上のＵＲＬで費やした時間、ブラウジングに費やす総計時間、定義されたＵＲＬのセットで費やす総計時間、リンクへのクリックスルー、及び他のオンラインでの振る舞いのうちの少なくとも一つを含む、請求項３３に記載のシステム。
【請求項３５】
更に、モバイルアクティビティインターフェースを含み、該モバイルアクティビティインターフェースは、ユーザに関する地理位置情報データを取得する、請求項２６に記載のシステム。
【請求項３６】
オンラインペルソナ検証及びターゲット化されたマーケティングのためのコンピュータ化されたシステムであって、
ユーザとインターフェースするように構成された、プレゼンテーションサービスモジュールと、
データ移行を提供して外部のデータソース及び広告ネットワークとインターフェースするように構成された、統合サービスモジュールと、
ビジネスルール、セキュリティ及びデータ処理サービスを多数のシステムコンポーネントに提供するように構成された、ファウンデーションサービスモジュールと、及び、
システムデータを記録するように構成された、データサービスモジュールと
を含む、システム。
【請求項３７】
データサービスモジュールは、データウエアハウスと一つ以上の操作データマートを含み、データウエアハウスは、ユーザに関する詳細なデータを記録し、個々の操作データマートは、前記詳細なデータの小スライスを記録する、請求項３６に記載のシステム。
【請求項３８】
前記操作データマートの各々が、ユーザのプロファイルの特定の属性への高速アクセスを可能にするように構成され、これにより、広告ネットワークの少なくとも一つ及びシステムは、前記ユーザのプロファイル及びリアルタイムのインプットに基づいて、操作を行える、請求項３６又は３７に記載のシステム。
【請求項３９】
前記リアルタイムのインプットは、時刻、位置、及びユーザのブラウジングのアクティビティのうちの少なくとも一つを含む、請求項３８に記載のシステム。